(57)【要約】【課題】  この発明は、キーストーン補正のための操作性が向上する液晶プロジェクタを提供することを目的とする。【解決手段】  上下左右方向に対してキーストーン補正を行う機能を備えた液晶プロジェクタにおいて、現在のキーストーン補正の状態に基づいて、キーストーン補正の補正量を増大させることが可能な方向と不可能な方向とを判別する判別手段と、判別手段による判別結果に基づいて、キーストーン補正の補正量を増大させることが可能な方向と不可能な方向とを識別しうるような識別画像を表示させる識別画像表示手段と、一方向のキーストーン補正が行われている際に、他方向のキーストーン補正操作を行った場合には、一方向のキーストーン補正の補正量を所定量だけ減少させる制御手段とを備えている。【選択図】  図１
2006174499.tif 000002
【特許請求の範囲】
【請求項１】
上下左右方向に対してキーストーン補正を行う機能を備えた液晶プロジェクタにおいて、現在のキーストーン補正の状態に基づいて、キーストーン補正の補正量を増大させることが可能な方向と不可能な方向とを判別する判別手段と、判別手段による判別結果に基づいて、キーストーン補正の補正量を増大させることが可能な方向と不可能な方向とを識別しうるような識別画像を表示させる識別画像表示手段と、一方向のキーストーン補正が行われている際に、他方向のキーストーン補正操作を行った場合には、一方向のキーストーン補正の補正量を所定量だけ減少させる制御手段とを備えていることを特徴とする液晶プロジェクタ。
【請求項２】
前記識別画像表示手段は、上下左右の方向を示す４つのマークを表示しうる機能を有しており、キーストーン補正の補正量を増大させることが不可能な方向に対応するマークが省略され、キーストーン補正の補正量を増大させることが可能な方向に対応するマークのみからなる識別画像を表示することを特徴とする請求項１に記載の液晶プロジェクタ。
【請求項３】
前記識別画像表示手段は、識別画像を表示する際に、キーストーン補正の補正量を増大させることが可能な方向のうち、キーストーン補正が現在行われている方向と、キーストーン補正が現在行われていない方向とを識別できるように、キーストーン補正の補正量を増大させることが可能な方向に対応するマークを表示させる手段を備えていることを特徴とする請求項２に記載の液晶プロジェクタ。
【発明の詳細な説明】
【技術分野】
【０００１】
この発明は液晶プロジェクタに関する。
【背景技術】
【０００２】
液晶プロジェクタなどを用いてプレゼンテーションを行うとき、スクリーンに対して正面から映像を投影できない場合がある。このような場合、スクリーンに投影された画像が台形状に歪んでしまう。そこで、台形歪み補正（以下、キーストーン補正という）を行うことによって、スクリーンに対して正面から投影されたような映像を生成している。
【０００３】
キーストーン補正を行う手法の１つとして、画像データを１度メモリに取り込んで、変換処理を加えてから、再度メモリに格納する方法がある。このメモリを使用する方法では、入力される映像信号の解像度およびメモリの容量によってキーストーン補正の限界値が異なる。一般的には解像度が高いほど、メモリの使用量が多くなるのでキーストーン補正の限界値が小さくなる。
【０００４】
たとえば、ＸＧＡパネルサイズ（１０２４×７６８）の信号より、ＳＸＧＡパネルサイズ（１２８０×１０２４）の信号の方が、キーストーン補正量の限界値が小さくなる。
【０００５】
また、最近では、縦方向のキーストーン補正に加え、横方向のキーストーン補正も行うモデルが増えている。この場合、縦方向のキーストーン補正量によって、横方向のキーストーン補正量の限界値が変化する。
【０００６】
図７はキーストーン補正を行っていない状態の映像とすると、図８は図７の映像に対し、限界値まで縦方向キーストーン補正のみを行った場合の映像を示している。縦方向キーストーン補正には、画面の上側の幅が狭くなる上方向キーストーン補正と、画面の下側の幅が狭くなる下方向キーストーン補正との２種類があるが、図８は画面の上側の幅が狭くなる上方向キーストーン補正の例を示している。
【０００７】
また、図９は、図７の映像に対し、限界値まで横キーストーン補正のみを行った場合の映像を示している。横方向キーストーン補正には、画面の右側の幅が狭くなる右方向キーストーン補正と、画面の左側の幅が狭くなる左方向キーストーン補正との２種類があるが、図９は画面の右側の幅が狭くなる右方向キーストーン補正の例を示している。
【０００８】
図１０は、縦方向キーストーン補正をある程度行った上で、横キーストーン補正を限界まで行ったの場合の映像を示している。図９と図１０とを比較すると、縦キーストーン補正を行うことによって横キーストーン補正の限界値αが小さくなっていることがわかる。
【発明の開示】
【発明が解決しようとする課題】
【０００９】
キーストーン補正の限界値は、上述したように、入力映像の解像度、キーストーン補正に用いられるメモリの容量、縦方向と横方向のキーストーン補正の補正量によって変化する。
【００１０】
ところで、キーストーン補正は、ユーザによる操作に基づいて行われる。たとえば、リモコン等の操作部に設けられたキーストーン補正キーが操作された後、カーソルキーのいずれかが操作された場合に、操作されたカーソルキーに応じた方向のキーストーン補正が行われる。
【００１１】
しかしながら、ある方向に対するキーストーン補正量が限界値に達していても、ユーザはそのことを認識できないため、その方向に応じたカーソルキーを押し続けるといった無駄な操作を行うという問題がある。さらに、このような場合、カーソルキーを押し続けても、画像が変形しないので、ユーザは液晶プロジェクタに故障が発生したと勘違するという問題がある。
【００１２】
この発明は、上記のような問題を解消でき、キーストーン補正のための操作性が向上する液晶プロジェクタを提供することを目的とする。
【課題を解決するための手段】
【００１３】
上記課題を解決するための第１の手段は、上下左右方向に対してキーストーン補正を行う機能を備えた液晶プロジェクタにおいて、現在のキーストーン補正の状態に基づいて、キーストーン補正の補正量を増大させることが可能な方向と不可能な方向とを判別する判別手段と、判別手段による判別結果に基づいて、キーストーン補正の補正量を増大させることが可能な方向と不可能な方向とを識別しうるような識別画像を表示させる識別画像表示手段と、一方向のキーストーン補正が行われている際に、他方向のキーストーン補正操作を行った場合には、一方向のキーストーン補正の補正量を所定量だけ減少させる制御手段とを備えていることを特徴とする。
【００１４】
上記課題を解決するための第１の手段において、識別画像表示手段は、上下左右の方向を示す４つのマークを表示しうる機能を有しており、キーストーン補正の補正量を増大させることが不可能な方向に対応するマークが省略され、キーストーン補正の補正量を増大させることが可能な方向に対応するマークのみからなる識別画像を表示することが好ましい。
【００１５】
上記課題を解決するための第１の手段において、識別画像表示手段は、識別画像を表示する際に、キーストーン補正の補正量を増大させることが可能な方向のうち、キーストーン補正が現在行われている方向と、キーストーン補正が現在行われていない方向とを識別できるように、キーストーン補正の補正量を増大させることが可能な方向に対応するマークを表示させる手段を備えていることが好ましい。
【発明の効果】
【００１６】
この発明によれば、キーストーン補正を行うための操作性が向上する。
【発明を実施するための最良の形態】
【００１７】
以下、図面を参照して、この発明の実施の形態について説明する。
【００１８】
図１は、液晶プロジェクタの構成を示している。
【００１９】
液晶プロジェクタの制御は、電源関連の制御と、信号処理関連の制御とに分けることができる。
【００２０】
まず、電源関連の制御から説明する。ＡＣコンセント１から入力された交流電圧は、アクティブフィルタ２によって直流電圧に変換される。アクティブフィルタ２によって得られた直流電圧は、メイン電源回路３に送られるとともに、ランプ用電源スイッチ５を介してランプ用電源回路６にも送られる。
【００２１】
メイン電源回路３はＣＰＵ用電源と、ＣＰＵ以外の回路用電源とを生成する。
メイン電源回路３によって生成されたＣＰＵ用電源はＣＰＵ３０に供給される。
メイン電源回路３によって生成された回路用電源は、回路用電源スイッチ４を介して、各回路の電源端子に供給される。
【００２２】
ランプ用電源スイッチ５および回路用電源スイッチ４は、ＣＰＵ３０によってオン・オフ制御される。ランプ用電源スイッチ５がオンするとランプ（バックライト光源用ランプ）７に電圧が与えられ、ランプ７が点灯する。回路電源スイッチ４がオンされると、各回路に電源が供給される。
【００２３】
次に、信号処理関連の制御について説明する。この液晶プロジェクタは、コンピュータからのアナログＲＧＢ信号（コンピュータ入力信号）を入力するための映像信号入力端子１１と、ＡＶ入力信号（コンポジットビデオ信号）を入力するための映像信号入力端子１２とを備えている。映像信号入力端子１１に入力されたＲＧＢ信号は、入力切替スイッチ１５に送られる。
【００２４】
映像信号入力端子１２に入力されたＡＶ入力信号は、Ｙ／Ｃ分離回路１３で輝度信号と色信号に分離され、ビデオデコーダ１４に入力される。ＣＰＵ３０は、ビデオデコーダ１４から、信号の有無、カラーシステムなどを受信し、それに応じた制御データをビデオデコーダ１４に送信する。ビデオデコーダ１４は、入力信号をＲＧＢ信号に変換して出力する。ビデオデコーダ１４からのＲＧＢ信号は、入力切替スイッチ１５に送られる。
【００２５】
ＣＰＵ３０は、リモコン３５からリモコン受光器３４を介して入力される入力切替信号に基づいて、入力切替スイッチ１５を制御することにより、コンピュータ入力またはＡＶ入力を選択させる。入力切替スイッチ１５によって選択された信号はＡ／Ｄコンバータ１６に送られる。
【００２６】
ＶＣＯ２２は、ＣＰＵ３０からの制御データに基づいて入力信号に応じたサンプリング周波数を生成して、Ａ／Ｄコンバータ１６に出力する。Ａ／Ｄコンバータ１６は、ＶＣＯ２２から入力されるサンプリング周波数に同期して、入力信号をサンプリングし、得られたデジタル信号をスケーラ１７に出力する。
【００２７】
ＤＲＡＭ１８は、映像信号を格納したり、映像信号以外の表示、いわゆるオンスクリーン表示を行うため等に使用される。
【００２８】
スケーラ１７は、Ａ／Ｄコンバータ１６から入力される映像データをＤＲＡＭ１８に一旦格納し、キーストーン補正、走査線変換等の処理を行うとともに、必要な場合には得られた映像信号にオンスクリーン画像を合成する。スケーラ１７から出力されたデジタル映像信号はＤ／Ａコンバータ１９に送られる。
【００２９】
Ｄ／Ａコンバータ１９に入力されたデジタル信号はアナログ変換され、色信号ドライバ２０に入力される。色信号ドライバ２０は、ＣＰＵ３０から受信した制御データに基づいて、明るさなどの色信号補正と、パネルの特性に応じたＤＣカーブの変換などを行う。色信号ドライバ２０から出力された信号は、サンプル＆ホールド回路２１に送られ、液晶パネルに出力するためのサンプリングが行われる。
【００３０】
液晶パネルに対しては通常６相、つまり６ドット単位で一括書き込みが行われるので、サンプル＆ホールド回路２１は、６ドット分のデータ取り込みと一括出力を行う。サンプル＆ホールド回路２１から、ＲＧＢそれぞれの液晶パネル２３、２４、２５に対して、対応したデータが送られる。
【００３１】
タイミングコントローラ２６は、ＣＰＵ３０から受信した制御データに基づいて、サンプル＆ホールド２１および各液晶パネル２３、２４、２５のタイミング制御を行う。
【００３２】
ＣＰＵ３０は、そのプログラム、データ等を記憶するＲＯＭ３１、必要なデータを記憶するＲＡＭ３２、現在設定されているキーストーン補正に関する設定内容を記憶する不揮発性メモリ３３を備えている。現在設定されているキーストーン補正に関する設定内容とは、現在設定されているキーストーン補正の各方向と各方向についての補正量をいう。
【００３３】
また、ＣＰＵ３０には、リモコン受光器３４が接続されており、リモコン３５からのリモコン信号がリモコン受光器３４を介して入力される。リモコン３５には、キーストーン補正のために用いられるキーストーン補正キーおよび左右上下の４つのキーからなるカーソルキーが設けられている。
【００３４】
各方向のカーソルキーは、カーソルに応じた方向に対するキーストーン補正量を増大させるために用いられ他、カーソルに応じた方向の反対方向に対するキーストーン補正が行われている場合には、当該反対方向の補正量を減少させるためにも用いられる。たとえば、右方向にキーストーン補正が行われている場合に、左方向のカーソルキーが操作された場合には、右方向のキーストーン補正の補正量が所定量だけ減少せしめられる。
【００３５】
図２は、ＣＰＵ３０によるキーストーン補正用の制御処理手順を示している。
【００３６】
スタンバイ状態（ＣＰＵ３０にのみ電源が与えられている状態）において、リモコン３５の操作によって映像表示指令が入力されると（ステップ１）、不揮発性メモリ３３から現在設定されているキーストーン補正に関する設定内容をＲＡＭ３２に読み込む（ステップ２）。
【００３７】
そして、読み込んだキーストーン補正に関する設定内容に応じたキーストーン補正がスケーラ１７によって行われるように、スケーラ１７にキーストーン補正を行うべき方向と補正量とを設定する（ステップ３）。
【００３８】
この後、リモコン３５上のキーストーン補正キーが操作されると（ステップ４）、キーストーン補正モードに入り、現在設定されているキーストーン補正に関する設定内容と入力映像の解像度とに基づいて、キーストーン補正の補正量を増大させることが可能な方向と不可能な方向とを判別し、キーストーン補正の補正量を増大させることが可能な方向と不可能な方向とを識別しうるような識別画像をオンスクリーン表示する（ステップ５）。また、この際、キーストーン補正の補正量を増大させることが可能な方向のうち、キーストーン補正が現在行われている方向と、キーストーン補正が現在行われていない方向とを識別できるように、識別画像を表示する。
【００３９】
キーストーン補正の補正量を増大させることが可能な方向とは、その方向にキーストーン補正が行われていないかあるいはその方向にキーストーン補正が行われているがそのキーストーン補正の補正量が限界値に達していない方向をいう。さらにキーストーン補正の補正量を増大させることが可能な方向には、その方向と反対方向にキーストーン補正が行われている場合も含まれる。キーストーン補正の補正量を増大させることが不可能な方向とは、キーストーン補正が行われておりかつその補正量が限界値に達している方向をいう。
【００４０】
識別画像としては、図３〜図５に示すように、上下左右方向を表す三角マークのうち、キーストーン補正の補正量を増大させることが可能な方向の三角マークのみを表示するとともに、キーストーン補正の補正量を増大させることが可能な方向に対応する三角マークのうち、キーストーン補正が現在行われている方向に対応する三角マークを黒の三角マークで表示し、キーストーン補正が現在行われていない方向に対応する三角マークを白の三角マークで表示する。
【００４１】
図３は、全ての方向に対してキーストーン補正処理が現在行われていない場合の識別画像の例を示しており、４つのカーソルキー（上方向キー、下方向キー、左方向キー、右方向キー）に対応する白の三角マークＵ、Ｄ、Ｌ、Ｒがオンスクリーン表示される。
【００４２】
図４は、右方向に対するキーストーン補正処理が現在行われておりかつその補正量が限界に達しておらず、他の方向に対するキーストーン補正処理が行われていない場合の識別画像の例を示しており、上方向キー、下方向キー、左方向キーに対応する内部が白の三角マークＵ、Ｄ、Ｌと、右方向キーに対応する黒の三角マークＲがオンスクリーン表示される。
【００４３】
図５は、右方向に対するキーストーン補正が現在行われておりかつその補正量が限界に達しており、他の方向についてキーストーン補正処理が行われていない場合の識別画像の例を示しており、上方向キー、下方向キー、左方向キーに対応する白の三角マークＵ、Ｄ、Ｌのみがオンスクリーン表示され、右方向キーに対応する三角マークＲはオンスクリーン表示されない。
【００４４】
つまり、識別画像の内容は、次のように定義される。
【００４５】
白の三角マーク：その方向に対するキーストーン補正が現在行われてないことを示す。
【００４６】
黒の三角マーク：その方向に対するキーストーン補正が現在行われているが、
その補正量が限界値に達していないことを示す。
【００４７】
三角マークの表示なし：その方向に対するキーストーン補正が現在行われておりかつその補正量が限界値に達していることを示す。
【００４８】
キーストーン補正の補正量を増大させることが可能な方向と不可能な方向の判別は、たとえば、入力映像の解像度毎に予め用意された、現在の各方向のキーストーン補正量に対する各方向の移動量の限界値を示すテーブルに基づいて決定される。このテーブルは、たとえば、図６に示すような、各方向相互の移動量の限界値の関係を表すグラフに基づいて作成される。このようなグラフは、入力映像の解像度、キーストーン補正に用いられるＤＲＡＭ１８の容量に基づいて予め作成される。
【００４９】
図６において、縦軸は縦方向のキーストーン補正量を、横軸は横方向のキーストーン補正量をそれぞれ示している。縦方向キーストーン補正量のプラス側は上方向キーストーン補正量を、マイナス側は下方向キーストーン補正量をそれぞれ示している。同様に、横方向キーストーン補正量のプラス側は右方向キーストーン補正量を、マイナス側は左方向キーストーン補正量をそれぞれ示している。
【００５０】
識別画像が表示された後に、リモコン３５上のカーソルキーが操作されると（ステップ６）、操作されたカーソルキーに応じた方向が補正量を増大させることが可能な方向であるか否かを判定する（ステップ７）。操作されたカーソルキーに応じた方向が補正量を増大させることが不可能な方向である場合、つまり、操作されたカーソルキーに応じた方向のキーストーン補正の補正量が限界値に達している場合には、その方向に対するキーストーン補正量を変化させることなく、ステップ６に戻る。
【００５１】
操作されたカーソルキーに応じた方向が補正量を増大させることが可能な方向である場合、つまり、操作されたカーソルキーに応じた方向に対するキーストーン補正が行われていない場合、操作されたカーソルキーに応じた方向に対するキーストーン補正が行われているがその補正量が限界値に達していない場合、あるいは操作されたカーソルキーに応じた方向と反対方向に対するキーストーン補正が行われている場合には、操作されたカーソルキーに応じた方向に対するキーストーン補正量を所定量だけ増大させるとともに、これに応じて不揮発性メモリ３３に格納されているキーストーン補正に関する設定内容を変更させる（ステップ８）。なお、操作されたカーソルキーに応じた方向と反対方向のキーストーン補正が行われている場合には、操作されたカーソルキーに応じた方向に対するキーストーン補正量を所定量だけ増大させるとは、当該反対方向の補正量を減少させることを意味する。
【００５２】
また、ステップ５と同様な方法で、変更後のキーストーン補正に関する設定内容と入力映像の解像度とに基づいて、キーストーン補正の補正量を増大させることが可能な方向と不可能な方向を判別し、上記定義に従った識別画像をオンスクリーン表示する（ステップ９）。そして、ステップ６に戻る。
【００５３】
なお、ステップ４でキーストーン補正キーが操作された後において、キーストーン補正キーが再度操作された場合（ステップ１０でＹＥＳ）、ステップ４でキーストーン補正キーが操作された後にカーソルキーが操作されないまま所定時間が経過した場合（ステップ１１でＹＥＳ）、またはステップでカーソルキーが操作された後にカーソルキーが操作されないまま所定時間が経過した場合（ステップ１１でＹＥＳ）には、ステップ４に戻る。
【００５４】
上記実施の形態では、キーストーン補正の補正量を増大させることが不可能な方向、言い換えればキーストーン補正の補正量が限界に達している方向を、ユーザが認識できるようになるので、ある方向に対するキーストーン補正量が限界値に達している場合にその方向に応じたカーソルキーを押し続けるといった無駄な操作を行ってしまうといったことが回避される。
【００５５】
また、キーストーン補正の補正量を増大させることが可能な方向とキーストーン補正が現在行われている方向とをユーザが認識できるようになるので、キーストーン補正を行うための操作性が向上する。
【図面の簡単な説明】
【００５６】
【図１】液晶プロジェクタの構成を示すブロック図である。
【図２】ＣＰＵ３０によるキーストーン補正用の制御処理手順を示すフローチャートである。
【図３】全ての方向に対してキーストーン補正処理が現在行われていない場合の識別画像の例を示す模式図である。
【図４】右方向に対するキーストーン補正処理が現在行われておりかつその補正量が限界に達しておらず、他の方向に対するキーストーン補正処理が行われていない場合の識別画像の例を示す模式図である。
【図５】右方向に対するキーストーン補正が現在行われておりかつその補正量が限界に達しており、他の方向についてキーストーン補正処理が行われていない場合の識別画像の例を示す模式図である。
【図６】キーストーン補正の補正量を増大させることが可能な方向と不可能な方向とを判別するために用いられるテーブルの内容を説明するためのグラフである。
【図７】キーストーン補正を説明するための模式図である。
【図８】縦方向キーストーン補正の限界値を示す模式図である。
【図９】横方向キーストーン補正の限界値を示す模式図である。
【図１０】縦方向キーストーン補正が行われている場合における横キーストーン補正の限界値を示す模式図である。
【符号の説明】
【００５７】
３０  ＣＰＵ
３１  ＲＯＭ
３２  ＲＡＭ
１７  スケーラ
１８  ＤＲＡＭ
【図１】
2006174499.tif 000003
【図２】
2006174499.tif 000004
【図３】
2006174499.tif 000005
【図４】
2006174499.tif 000006
【図５】
2006174499.tif 000007
【図６】
2006174499.tif 000008
【図７】
2006174499.tif 000009
【図８】
2006174499.tif 000010
【図９】
2006174499.tif 000011
【図１０】
2006174499.tif 000012